(57)【要約】  本発明は、ユーザーがトップシートの身体側面から見ることができる複数の第１の着色領域、及び第２の着色領域を備える吸収性物品に関し、第２の着色領域は第１の着色領域のうち少なくともいくつかを包囲し、第１の着色領域と第２の着色領域との間のデルタＥは少なくとも約４．５であり、第１の着色領域の平均占有面積は０．２０ｍｍ２以上であり、第１の着色領域の密度は約４〜２４領域／ｃｍ２である。
2017534381.tif 000002
【特許請求の範囲】
【請求項１】
吸収性物品であって、
長手方向中心線と、
身体側表面、及び前記身体側表面に対向する衣類側表面を有する液体透過性トップシートと、
液体不透過性バックシートと、
第１の表面、及び前記第１の表面に対向する第２の表面を有し、前記トップシートと前記バックシートとの間に位置決めされた吸収性コアと、
複数の第１の着色領域と、
前記第１の着色領域のうちの少なくともいくつかを包囲する第２の着色領域と、を備え、
前記複数の第１の着色領域及び前記第２の着色領域は、前記トップシートの前記身体側表面から見ることができ、
前記第１の着色領域と前記第２の着色領域との間のデルタＥは少なくとも約４．５であり、
前記第１の着色領域は、約０．２０ｍｍ２以上の平均占有面積及び約４〜約２４領域／ｃｍ２の密度を有する、吸収性物品。
【請求項２】
前記吸収性物品は、前記トップシートの下に、第１の表面及び前記第１の表面に対向する第２の表面を有する層を更に備える、請求項１に記載の吸収性物品。
【請求項３】
前記層は第２のトップシートである、請求項２に記載の吸収性物品。
【請求項４】
前記層は挿入体である、請求項２に記載の吸収性物品。
【請求項５】
前記吸収性物品は着色区域を更に備える、請求項１に記載の吸収性物品。
【請求項６】
前記吸収性物品は、前記トップシートの前記衣類側表面、前記層の前記第１の表面、前記層の前記第２の表面、前記吸収性コアの前記第１の表面、前記吸収性コアの前記第２の表面、及びこれらの任意の組み合わせから選択される少なくとも１つの表面に前記着色区域を備える、請求項５に記載の吸収性物品。
【請求項７】
前記着色区域が前記長手方向中心線の少なくとも一部を含む、請求項５に記載の吸収性物品。
【請求項８】
前記第１の着色領域と前記第２の着色領域との間の前記デルタＥが少なくとも約５．０である、請求項１に記載の吸収性物品。
【請求項９】
前記複数の第１の着色領域が、明度、暗度、色、及びこれらの任意の組み合わせから選択される少なくとも１つの態様において、前記第２の着色領域とは異なる、請求項１に記載の吸収性物品。
【請求項１０】
前記複数の第１の着色領域は、約０．２ｍｍ２以上の平均占有面積を有する、請求項１に記載の吸収性物品。
【請求項１１】
前記第１の着色領域の前記密度は約８〜約２４領域／ｃｍ２である、請求項１に記載の吸収性物品。
【請求項１２】
前記トップシートは、前記第１の着色領域を画定する複数の開口部を備える、請求項１に記載の吸収性物品。
【請求項１３】
前記トップシートは、前記トップシートの衣類側側面に向けてエンボス加工された複数のエンボス加工領域を備え、前記複数のエンボス加工領域は前記第１の着色領域を画定する、請求項１に記載の吸収性物品。
【請求項１４】
前記吸収性物品は、前記第１の着色領域を画定する複数の第１の印刷された領域を更に備える、請求項１に記載の吸収性物品。
【請求項１５】
前記複数の第１の印刷された領域は、前記吸収性物品の１つの構成要素上に提供される、請求項１４に記載の吸収性物品。
【請求項１６】
前記吸収性物品は、前記第２の着色領域を画定する第２の印刷された領域を更に備える、請求項１４に記載の吸収性物品。
【請求項１７】
前記第１の印刷された領域及び前記第２の印刷された領域は、前記吸収性物品の異なる構成要素内に提供される、請求項１６に記載の吸収性物品。
【請求項１８】
前記層は、前記第１の着色領域を画定する複数の第１の印刷された領域を備える、請求項２に記載の吸収性物品。
【請求項１９】
前記トップシートは実質的に白色である、請求項１に記載の吸収性物品。
【請求項２０】
前記第２の着色領域が前記長手方向中心線の少なくとも一部を含む、請求項１に記載の吸収性物品。
【発明の詳細な説明】
【技術分野】
【０００１】
本発明は、吸収性物品の性能及び特性を伝達する信号を有する吸収性物品に関する。
【背景技術】
【０００２】
生理用ナプキン、パンティライナー、タンポン、吸収性陰唇間装置、使い捨ておむつ、失禁用製品、及び包帯などの吸収性物品は、人体から排出される液体及び他の排泄物を吸収及び保持するように、また、身体及び衣類の汚れを防止するように設計されている。
【０００３】
吸収性物品を構成する、トップシート、第２のトップシート、吸収性ゲル材料、及び通気性バックシートなどの構成要素のための革新的な材料を使用することで、吸収性物品、特に生理用ナプキンの技術は大幅に進歩し、女性の身体から経血及び他の流体を吸収する製品を女性に提供した。しかしながら、これらの技術の多くは隠されており、ユーザーには見ることができない場合が多い。見ることが可能な場合であっても、吸収性構成要素は、この改善された技術の存在をユーザーに容易に又は視覚的に伝達しない場合が多い。
【０００４】
トップシートの重要な設計基準としては、トップシートの吸収性及び／又は通気性が挙げられる。トップシートの吸収性が不十分だと、ユーザーは乾燥を感じることができず、不快感が増加し得る。トップシートの通気性が不十分だと、皮膚の問題が生じる場合があり、ユーザーの不快感が増加する場合がある。
【０００５】
吸収性及び／又は通気性を改善する方法の１つは、トップシート上に開口部を形成することである。有孔トップシートは一般にトップシート上の流体未吸収率（fluid pendency）が低く、流体浸透性並びに吸収性及び／又は通気性を改善するが、かかる改善されたトップシート特性は、ユーザーに十分に認知されない場合が多かった。
【０００６】
材料の吸収性及び／又は通気性に関する認知は、視覚的信号、すなわちその外観によっても影響され得ると考えられる。ある人物にある材料が相対的に吸収性又は通気性であるように見える場合、その人物が、その材料が相対的な吸収性及び通気性を同様に有すると認知する確率がより高くなると考えられる。吸収性又は通気性の視覚的印象は、色、及び吸収性物品のトップシート又は任意の構成要素上に形成された表面の巨視的な物理的特性が挙げられるがこれらに限定されない、様々な特徴及び特性によって影響を受け得る。
【０００７】
例えば、吸収性の認知を改善するための方法の１つは、トップシートを通して見ることができる吸収性物品の上面の上又は下の着色区域を形成して、吸収性物品内の深さ及びより大きな流体貯蔵能力の認知を提供することを伴う。国際公開特許第２００３／５３３１３号は、吸収性物品のトップシート表面を観察するユーザーによって深さ及び吸収性の認知が生み出される、少なくとも１つの色の多色調信号を有する吸収性物品を開示している。
【０００８】
吸収性又は通気性の認知を改善するためのもう１つの方法は、特定の平均占有面積及び密度を有する開口部を形成することを伴う。国際公開特許第２０１２／５１４６７号は、生理用ナプキンの上面から可視であり、改善された表面の視覚的テクスチャを生成する開口部のパラメータを開示している。
【先行技術文献】
【特許文献】
【０００９】
【特許文献１】国際公開特許第２００３／５３３１３号
【特許文献２】国際公開特許第２０１２／５１４６７号
【発明の概要】
【発明が解決しようとする課題】
【００１０】
上記の方法の成功の度合いは様々であるが、吸収性物品のより良好な保護及び改善された機能性の認知を効果的に伝達してユーザーにその認知を生じさせる点に関して改善の余地は残されている。
【課題を解決するための手段】
【００１１】
本発明は、ユーザーがトップシートの身体側表面から見ることができる複数の第１の着色領域、及び第２の着色領域を備える吸収性物品に関し、第２の着色領域は第１の着色領域のうちの少なくとも一部を包囲し、第１の着色領域と第２の着色領域との間のデルタＥは少なくとも約４．５であり、第１の着色領域の平均占有面積は０．２０ｍｍ２以上であり、第１の着色領域の密度は約４〜２４領域／ｃｍ２である。
【００１２】
本発明のこれら及びその他の特徴、態様、及び利点は、本出願を読むことにより当業者に明らかになるであろう。
【図面の簡単な説明】
【００１３】
本開示の非限定的な形態に関する以下の説明を添付図面と併せて参照することで、本出願の上記及びその他の特徴及び利点、並びにそれらを達成する方法がより明らかとなり、本開示自体がより一層理解されよう。
【図１】吸収性物品の斜視図である。
【図２Ａ】本発明の吸収性物品の平面図である。
【図２Ｂ】図２Ａの吸収性物品の上面の拡大像である。
【図３Ａ】本発明の別の吸収性物品の平面図である。
【図３Ｂ】図３Ａの吸収性物品の上面の拡大像である。
【図４】本発明の別の吸収性物品の平面図である。
【図５Ａ】比較例の吸収性物品の平面図である。
【図５Ｂ】図５Ａの吸収性物品の上面の拡大像である。
【図６Ａ】市販の生理用ナプキンの平面図である。
【図６Ｂ】図６Ａの吸収性物品の上面の拡大像である。
【図７Ａ】別の市販の生理用ナプキンの平面図である。
【図７Ｂ】図７Ａの吸収性物品の上面の拡大像である。
【発明を実施するための形態】
【００１４】
本発明の全体的な理解のために、本出願の様々な非限定的形態を説明する。これらの非限定的実施形態の１つ又は複数の例を添付の図面に示す。当業者であれば、本明細書で説明され、かつ添付の図面で例示される本発明は、非限定的な例の形態であり、本出願の種々の非限定的形態の範囲は、特許請求の範囲によってのみ定義されることを理解するであろう。１つの非限定的な形態に関して図示又は説明される特徴は、他の非限定的な形態の特徴と組み合わせることができる。こうした改変及び変形は、本出願の範囲内に含まれるものとする。
【００１５】
本明細書で使用する時、用語「吸収性物品」とは、使い捨ておむつ、生理用ナプキン、パンティライナー、失禁用パッド、陰唇間パッド、母乳パッド、汗用シート、動物用排泄物取り扱い物品、動物用おむつなどを含む。
【００１６】
本明細書で使用する時、用語「身体側表面」とは、使用時にユーザーの身体に面する吸収性物品の側面を指す。用語「衣類側表面」とは、物品の反対側の表面のことを指す。
【００１７】
本明細書で使用する時、用語「体液」又は「流体」とは、経血、膣分泌物、血液、汗、及びこれらの物質の組み合わせを含むが、これらに限定されない。
【００１８】
本明細書で使用する時、用語「色」とは、任意の非白色、すなわち、黒、赤、青、紫、オレンジ、黄色、緑、及び藍色、並びにこれらの任意の偏差又はこれらの混合色、並びに白色が含まれる。本明細書で使用する時、「白色」は、Ｌ＊＞９０、−２＜ａ＊＜２、及び−２＜ｂ＊＜２を有する色として定義される。
【００１９】
本明細書で使用する時、吸収性物品の「構成要素」という用語は、トップシート、第２のトップシートなどの獲得層、吸収性コア又は吸収性コアの層、バックシート、並びにバリア層及びバリアカフなどのバリアといった、吸収性物品の個々の構成要素を指す。
【００２０】
本明細書で使用する時、用語「接合された」、「結合された」、又は「付着された」は、ある構成要素をもう一方の構成要素に直接貼り付けることによりその構成要素をもう一方の構成要素に直接固定する構成と、ある構成要素を中間部材に貼り付け、次にその中間部材をもう一方の構成要素に貼り付けることにより、その構成要素をもう一方の構成要素に間接的に固定する構成と、を包含する。
【００２１】
吸収性物品
図１に示すように、本発明の吸収性物品１０は、長手方向中心線Ｌと、横断方向中心線Ｔと、身体側表面２８及び身体側表面２８に対向して位置決めされた衣類側表面（図１に示さず）を有するトップシート２０と、を備える。吸収性物品１０は、衣類側表面及び衣類側表面に対向して位置決めされたユーザー側表面を有するバックシート（図１に示さず）を更に備え、バックシートはトップシート２０に接合される。吸収性物品１０は、トップシート２０とバックシートとの間に位置決めされた吸収性コア３０を更に備える。吸収性物品１０は、トップシート２０の身体側表面２８の側から見ることができる複数の第１の着色領域（図１に示さず）、及び第２の着色領域（図１に示さず）を更に備える。吸収性物品１０は、第２のトップシート６０及び／又は一対のフラップ７０を備え得る。吸収性物品１０は、着色区域４０を有し得る。着色区域４０はトップシート２０の身体側表面２８の側から見ることができるいくつかの実施形態では、吸収性物品は少なくとも２つの着色区域を備え得る。
【００２２】
トップシート２０、バックシート、及び吸収性コア３０は、様々な周知の構成で組み立てられ得る。
【００２３】
バックシート及びトップシート２０は、様々な方法で互いに固定され得る。トップシート２０及びバックシートは、接着剤、熱接合、圧力接合、超音波接合、動的機械的接合、又はクリンプシールを用いることによって互いに接合され得る。流体不透過性クリンプシールは、製品の縁部を通る流体の横方向移動（「ウィッキング」）を阻止して、ユーザーの肌着の面が汚れるのを防ぎ得る。
【００２４】
生理用ナプキンなどの場合に典型的であるように、生理用ナプキンは、バックシートの衣類側側面上に配置されたパンティー締結用接着剤を有し得る。パンティー締結用接着剤は、この目的のための技術分野で用いられる既知の接着剤のいずれかであり得、当該技術分野において周知である通り、使用前は剥離紙で覆われ得る。フラップ又はウィングが存在する場合、パンティー締結用接着剤は、ユーザーのパンティーの下面に接触して接着するように、衣類側側面に適用され得る。
【００２５】
トップシート
本出願において、トップシートは、ユーザーの皮膚と接触する吸収性物品の一部である。トップシートは、当業者には周知されるように、バックシート、吸収性コア、及び／又は任意のその他の層に接合され得る。通常、トップシート及びバックシートは、いくつかの位置（例えば、吸収性物品の周辺部又はその付近）で互いに直接接合し、他の位置では、これらを物品の１つ又は複数の他の構成要素に直接接合することにより、間接的に一体に接合している。
【００２６】
トップシートは、ユーザーの皮膚に対して柔軟であり、ソフトな感触であり、かつ非刺激性であり得る。更に、トップシートの一部分又は全部は、液体透過性であり、その厚さを通して液体を容易に透過させ得る。好適なトップシートは、例えば、多孔質発泡体、網目状発泡体、有孔プラスチックフィルム、あるいは天然繊維（例えば、木材繊維又は綿繊維）、合成繊維、若しくはフィラメント（例えば、ポリエステル繊維、若しくはポリプロピレン繊維、若しくは２成分ＰＥ／ＰＰ繊維、又はそれらの混合物）、若しくは天然繊維と合成繊維との組み合わせの織布又は不織布材料などの幅広い範囲の材料から製造することができる。トップシートが繊維を包含するならば、当該技術分野で既知のように、繊維を、スパンボンド、カード、湿式、メルトブローン、水流交絡、ないしは別の方法で加工してもよい。
【００２７】
トップシートは、ポリマーフィルムウェブであり得る。ポリマーフィルムウェブは、変形可能なものであり得る。変形可能とは、本明細書で使用する時、弾性限度を超えて伸長させると、新たに形成された形態を実質的に保持する材料を説明する。このような変形可能な材料は、ホモポリマー及びポリマーブレンドのように、化学的に均質であっても不均質であってもよく、平面シート又はラミネートのように、構造的に均質であっても不均質であってもよく、又は、これらの材料のいずれかの組み合わせであってもよい。
【００２８】
用いることのできる変形可能なポリマーフィルムウェブは、材料の固体状態の分子構造の変化が起こる形質転換温度範囲を有することができる。この構造変化としては、結晶構造の変化及び／又は固体状態から溶融状態への変化を挙げることができる。結果として、形質転換温度範囲より高温では、材料の特定の物理的特性が実質的に変化する。熱可塑性フィルムでは、形質転換温度範囲は、そのフィルムの溶融温度範囲であり、この温度より高い場合には、フィルムは、溶融状態にあると共に、熱機械前歴の実質的に全てを失う。
【００２９】
ポリマーフィルムウェブは、そのポリマーの組成及び温度に左右される特徴的なレオロジー特性を有する熱可塑性ポリマーを含むことができる。このような熱可塑性ポリマーは、そのガラス転移温度よりも低い温度において、硬質、堅固及び／又は脆性であり得る。分子は、ガラス転移温度よりも低い温度において、強固な、固定位置にある。ガラス転移温度よりも高いが、溶融温度範囲よりも低い温度においては、熱可塑性ポリマーは粘弾性を呈する。この温度範囲では、熱可塑性材料は一般に、ある程度の結晶化度を有し、概ね可撓性であり、力を受けるとある程度変形可能である。このような熱可塑性物質の変形性は、変形速度、変形量（寸法的な量）、変形する時間の長さ、及び温度によって決まる。１つの実施形態では、この粘弾温度範囲内にある熱可塑性ポリマー、特に熱可塑性フィルムを含んでいる材料を形成するために、プロセスを用いることができる。
【００３０】
ポリマーフィルムウェブは、特定の量の延性を有することができる。本明細書で使用する時、延性とは、材料が破損（破裂、破断、又は分離）する前に、材料を変形させたときに起こる恒久的かつ回復不能な塑性ひずみの量である。本明細書に記載されているように用いることができる材料は、少なくとも約１０％、又は少なくとも約５０％、又は少なくとも約１００％、又は少なくとも約２００％の最低延性を有することができる。
【００３１】
ポリマーフィルムウェブは、ポリオレフィン、ナイロン、ポリエステルなどのように、フィルムとして標準的に押し出されるか、又はキャストされる材料を含むことができる。このようなフィルムは、ポリエチレン、低密度ポリエチレン、線状低密度ポリエチレン、ポリプロピレン、並びに、これらの材料をかなりの割合で含むコポリマー及びブレンドなどの熱可塑性材料であり得る。このようなフィルムを表面改質剤で処理して、ロータス効果を付与するなど、親水性又は疎水性特性を付与することができる。後述するように、ポリマーフィルムウェブには、完全に平坦、平面的な構成から、織目構造をつけるか又はその他の方法で変形を施すことが可能である。
【００３２】
トップシートは不織布ウェブであり得る。本明細書で使用する時、用語「不織布ウェブ」は、個々の繊維又は糸が入り組んではいるものの、ランダムに配向された繊維を典型的には有しない織布又は編布におけるような繰り返しパターンとして入り組んではいない構造を有するウェブのことを指す。不織布ウェブ又は布地は、例えば、メルトブロー、スパンボンド、水流交絡、風成、湿式、湿式抄紙製造プロセス、及びカード熱接着を含む接着カードウェブプロセス等、多くのプロセスから形成されてきた。不織布ウェブは、非接着繊維、絡合繊維、トウ繊維などを含むことができる。繊維は、延伸性及び／又は弾性を有し得るが、加工に備えて事前に伸長させてもよい。繊維は、スパンボンド法で作られた繊維のように連続的であるか、又はカードプロセスで典型的に用いられる繊維のように、ある長さに切断することができる。繊維は、吸収性を有し得るが、繊維性吸収ゲル化材料を含むことができる。繊維は、２成分、多成分、成形、けん縮、又は、不織布ウェブ及び不織繊維の技術分野において既知であるその他の任意の配合又は構成のものであってもよい。不織布ウェブは、有孔ウェブに形成するために十分な伸長性を有するポリマー繊維を含む。一般に、ポリマー繊維は、化学的結合（例えば、ラテックス又は接着剤結合）、圧力接着、又は熱接着のいずれかによって結合可能であることができる。下記の結合プロセスで熱接着技術を用いる場合、熱可塑性粉末又は熱可塑性繊維のような熱可塑性材料を特定の割合で用いることが可能である。
【００３３】
トップシートは、２つ以上の前駆体ウェブの複合材又は積層体であってもよく、また、２つ以上の不織布ウェブ、又は、ポリマーフィルム、不織布ウェブ、織布地、紙ウェブ、ティッシュウェブ、若しくは編布地の組み合わせを含むことができる。
【００３４】
トップシートは、任意で、顔料、レーキ、トナー、染料、インク、又は材料に色を付与するのに用いられるその他の薬剤などの着色剤を更に含んでもよい。本明細書において好適な顔料には、無機顔料、真珠光沢顔料、干渉顔料等が挙げられる。
【００３５】
当該技術分野において一般に開示されるように、トップシートの任意の部分が、ローション及び／又はスキンケア組成物でコーティングされ得る。
【００３６】
トップシートは、流体及び／又は空気の浸透を容易にするための複数の開口部を備え得る。少なくとも一次開口部の寸法は、所望の流体及び／又は空気の浸透性能、並びに着用者が期待するその他の性能を達成するように決定され得る。開口部が小さ過ぎると、流体源と開口部の位置との配列が良くないこと、又は、例えば開口部より大きな直径を有する軟性の糞便塊のいずれかが原因で、流体が開口部を通過し得ない場合がある。開口部が大き過ぎる場合、物品からの「再湿潤」によって汚染される恐れのある皮膚の面積が増大する。
【００３７】
トップシートは、より布地に近い外観を提供するための複数のエンボスを備え得る。
【００３８】
トップシートは、身体側表面又は衣類側表面のいずれかに印刷領域を有し得る。
【００３９】
トップシートは任意の坪量で形成され得る。しかしながら、坪量が相対的に高くなると、外見のキャリパー及びかさばりが相対的に大きくなる一方、費用も相対的に大きくなる。一方で、いくつかの実施形態では、トップシートが、トップシートの下に位置決めされた着色区域の色をマスクして、その結果、吸収性物品の第１の着色領域及び第２の着色領域が、以下で詳細に説明される少なくとも２．５のデルタを有することを可能にするように、多層不織布ウェブの坪量が十分に高くてもよい。本発明のトップシートのための不織布又はポリマーフィルムに好適な坪量は、２００ｇｓｍ以下、又は７ｇｓｍ〜７０ｇｓｍ、又は１０ｇｓｍ〜５０ｇｓｍ、又は１２ｇｓｍ〜３０ｇｓｍであることが判明している。
【００４０】
１つの実施形態では、吸収性物品はトップシート及び印刷領域を備え、トップシートは複数の開口部及び／又は複数のエンボスを備え、ここで複数の開口部及び／又は複数のエンボスのうちの少なくとも一部が印刷領域と重なり合い、第１の着色領域の色が開口部及び／又はエンボスを通して認知される。こうした実施形態では、本発明の吸収性物品の第１の着色領域と第２の着色領域との間に所望される程度の色差を得るために、複数の開口部及び／又は複数のエンボスを有し、着色区域と重なり合うトップシートの少なくとも一部分が、身体側表面から見た時に十分な坪量を有し、その結果、トップシートの身体側表面の、開口部又はエンボスによって画定される第１の着色領域と第１の着色領域のうちの少なくともいくつかを包囲する第２の着色領域との間で見ることができる色対比が、第２の着色領域の高マスキング色によって増加することが好ましい。
【００４１】
吸収性コア
吸収性物品の吸収性コアは、使用中に排泄された体液を貯蔵する働きをする。吸収性コアは、多種多様な寸法及び形状で製造することができ、製品の面全体の様々な位置で、様々な厚さ、親水性勾配、超吸収体勾配、密度、及び平均坪量を有するように形状加工され得る。
【００４２】
吸収性コアは、流体分配層と同様に流体貯蔵層も有してもよい。流体分配層は、受容した流体を、下方向及び横方向の両方に移動させ、概して流体貯蔵層と比較してより大きな透過性、及びより少ない毛管現象を有する。
【００４３】
けん縮セルロース塊、毛羽立てられたセルロース繊維、エアフェルトとしても既知の木材パルプ繊維、及び織物繊維などの従来の吸収性材料に加えて、流体貯蔵層はしばしば、流体を吸収し、ヒドロゲルを形成する超吸収性材料を含む。これらの材料は典型的に、大量の体液を吸収することができ、かつそれらを中程度の圧力下で保持することができる。吸収性コアの流体貯蔵層は、超吸収性材料のみで作製され得、又は、毛羽立てられた形態のセルロース繊維若しくは堅固化された繊維などの好適なキャリアに分散されたかかる材料を含み得る。
【００４４】
バックシート
吸収性コアの下面を被覆するバックシートは、吸収性コア内の流体が、肌着などの生理用ナプキンに接触する物品を濡らすのを防ぐ。したがって、バックシートは、液体不透過性薄膜、又は液体不透過性であるが蒸気透過性フィルム／不織布積層体、ミクロ孔質フィルム、有孔成形フィルム、又は、蒸気透過性であるか、若しくは蒸気透過性化されるが、実質的に流体には不透過性であるその他のポリマーフィルムから作製される。
【００４５】
第１の着色領域及び第２の着色領域
本発明の吸収性物品は、そのいずれをもユーザーがトップシートの身体側表面の側から見ることができる、複数の第１の着色領域、及び第１の着色領域のうちの少なくともいくつかを包囲する第２の着色領域を備える。
【００４６】
本明細書の下記で開示されるデルタＥ測定法によって測定した場合、第１の着色領域と第２の着色領域との間のデルタＥは、少なくとも約４．５である。特定の実施形態では、第１の着色領域と第２の着色領域との間のデルタＥは、少なくとも約４．５、又は少なくとも約５．０、又は少なくとも約６．０である。着用者が通気性及び／又は吸収性を十分に認知するための明白な色差を提供するには、４．５のデルタＥで既に十分であることが判明している。しかしながら、デルタＥが上昇すると、通気性及び／又は吸収性の認知度を向上させ得る。
【００４７】
更に、第１の着色領域は、約０．２０ｍｍ２〜約２ｍｍ２の範囲の平均占有面積を有し得る。第１の着色領域は、深さの認知を伝達するために、約０．２０ｍｍ２超、又は約０．３０ｍｍ２超、又は約０．４０ｍｍ２超の平均占有面積を有し得る。
【００４８】
更に、第１の着色領域の密度は、約４〜２４領域／ｃｍ２、又は約６〜２４領域／ｃｍ２、又は約８〜２１領域／ｃｍ２、又は約１０〜１３領域／ｃｍ２である。第１の着色領域の密度が低過ぎると、吸収性物品の複数の開口部が接続して、十分な吸収性及び／又は通気性の効果を示すことができない。密度が２４を超えると、第１の領域を備えるパターンが過剰に細かく見えるようになる場合があり、また、漏れ又はその他の悪性能の可能性が増加する場合がある。
【００４９】
第１の着色領域及び第２の着色領域は、均一に配置されて規則的又は不規則な形状を形成し得、あるいは不均一に配置されて多種多様な形状を形成し得る。
【００５０】
第１の着色領域及び第２の着色領域のこうした配置は、ユーザーにより良好な保護及び改善された機能性の認知を生じさせ得る。
【００５１】
一般的には、第１の着色領域が第２の着色領域と比較してより濃い、かつ／又は暗い色を有することが望ましい場合がある。
【００５２】
第１の着色領域は非白色である。第２の着色領域は、非白色であっても白色であってもよい。
【００５３】
１つの実施形態では、図２Ａ〜３Ｂに示すように、本発明の吸収性物品１０は、吸収性物品１０のトップシート２０内に複数の第１の着色領域２０２、３０２を備え、開口部のうちの少なくとも一部は、トップシート２０の下に位置決めされた着色区域４０と重なり合って形成される。本発明の吸収性物品１０は、第１の着色領域２０２、３０２を包囲する第２の着色領域２０４、３０４を更に備える。図２Ａ及び図２Ｂを参照すると、着色区域４０と重なり合う開口部２０６は第１の着色領域２０２を画定し、着色区域の色は、トップシート２０の身体側表面２８から開口部２０６を通して見ることができるが、これは第１の着色領域２０２の色と考えられる。第１の着色領域２０２を包囲し、着色区域４０と重なり合うトップシート２０の身体側表面２８の領域は、第２の着色領域２０４である。図３Ａ及び図３Ｂを参照すると、着色区域４０と重なり合う開口部３０６は第１の着色領域３０２を画定し、着色区域の色は、トップシート２０の身体側表面２８から開口部３０６を通して見ることができるが、これは第１の着色領域３０２の色と考えられる。第１の着色領域３０２を包囲し、着色区域４０と重なり合うトップシート２０の領域は、第２の着色領域３０４である。
【００５４】
別の実施形態では、本発明の吸収性物品は、複数の第１の着色領域を画定する非白色の複数の第１の印刷された領域と、第１の着色領域のうちの少なくともいくつかを包囲する第２の着色領域と、を備えるパターニングされたプリントを備える。図４を参照すると、本発明の吸収性物品は、複数の第１の着色領域４０２を画定する複数の第１の印刷された区域４０６と、第１の着色領域４０２のうちの少なくともいくつかを包囲する第２の着色領域４０４と、を備えるパターニングされたプリントを備える。第２の着色領域４０４は、白色であっても非白色であってもよい。パターニングされたプリントは、第１の印刷された領域のうちの少なくともいくつかを包囲する非白色の第２の印刷された領域を更に備え得る。第２の印刷された領域は、第２の着色領域を画定する。パターニングされたプリントは、本発明の吸収性物品の構成要素の任意の表面、例えばトップシート、吸収性コア、及び／又は任意の挿入体若しくは第２のトップシートの表面に印刷され得る。更に、複数の第１の印刷された領域及び第２の印刷された領域を、吸収性物品の異なる構成要素にそれぞれ印刷することも可能であり、あるいは吸収性物品の同じ又は異なる構成要素の異なる表面にそれぞれ印刷することも可能である。
【００５５】
別の実施形態では、本発明の吸収性物品１０は、トップシート２０内に吸収性物品１０の底面に向かって形成されたエンボスによって画定された複数の第１の着色領域を備え、ここでエンボスのうちの少なくとも一部が、トップシート２０又はトップシート２０の衣類側表面の下に位置決めされた着色区域４０と重なり合うように形成される。着色区域４０と重なり合うエンボス加工領域は第１の着色領域を画定し、トップシート２０の身体側表面２８からエンボス加工領域を通して見ることができる着色区域４０の色は、第１の着色領域の色であると考えられる。第１の着色領域を包囲し、着色区域４０と重なり合うトップシート２０の身体側表面の領域は、第２の着色領域である。このエンボスのために、トップシート２０又はトップシート２０の衣類側表面の下の着色区域４０の色は、エンボス加工領域のトップシート２０の身体側表面２８からより識別し易くなる。トップシート２０の身体側表面２８を見ると、エンボス加工領域の一部を包囲する非エンボス加工領域、すなわち第２の着色領域の色、及び着色区域４０の上に位置決めされるトップシート２０が、着色区域４０の色をマスクする光をある程度屈折させる。
【００５６】
特定の実施形態では、第２の着色領域は、吸収性物品の長手方向中心線の少なくとも一部を含む。
【００５７】
本出願の吸収性物品は、約１％〜約２５％、約３％〜約１８％、約５％〜約１２％、約６％〜約１０％の範囲の複数の第１の着色領域の合計面積を有し得、具体的には上記で指定される範囲内の０．１％刻みの全て、及びその範囲内又はそれによって形成される全ての範囲が採用され得る。第１の着色領域の百分率は、本明細書に記載される第１の着色領域の平均占有面積測定法に従って測定する。
【００５８】
着色区域
吸収性物品は、非白色の着色区域を備え得る。着色区域は、着色区域の色が吸収性物品のトップシートの身体側表面から、吸収性物品の複数の第１の着色領域上、及び／又はそれを通して見ることができる限り、トップシート、任意の追加層、吸収性物品、及びバックシートなどの吸収性物品の任意の好適な構成要素上に位置決めしてよい。
【００５９】
１つの実施形態では、着色区域はトップシートの一部を形成する。本明細書の更に別の実施形態では、着色区域は吸収性コアの一部を形成する。特定の実施形態では、着色区域は、例えばトップシートの衣類側表面及び／又は吸収性コアの表面といった、吸収性物品の好適な構成要素の任意の表面に提供してよい。特定の実施形態では、着色区域は、トップシートの下に位置決めされた第２のトップシート又は挿入体などの追加層（例えば、トップシートと吸収性コアとの間の、又は層が挿入体である場合にはトップシートと第２のトップシートとの間の）の上に提供され得る。
【００６０】
着色区域は、単一の着色区域又は複数の着色区域を含み得る。複数の着色区域は、区域のオーバーラップする性質によって色の階調又は色の濃さの変化を定めるために、色がオーバーラップする領域として配置され得る。着色又は陰影付き区域は、波浪形、楕円形、砂時計形などの形状を含む任意の形状であってよい。着色区域又は陰影区域の色は均一でもよく、あるいはこれらは変化する単色の陰影又は色相であってもよく、あるいはこれらは異なる色であってもよい。
【００６１】
特定の実施形態では、着色区域は、例えば、グラビア印刷、オフセット印刷、インクジェット印刷、及びこれらの組み合わせなどの既知のプロセスによる印刷によって作製され得る。あるいは、着色区域は、染色、色素沈着、又は任意の他の好適な着色技術によって作製され得る。特定の実施形態では、着色区域は、押出成形中に着色剤を溶融添加することにより作製され得る。
【００６２】
したがって着色区域は、第２のトップシート、サージ層、獲得層、吸収性コアなどの上に、インク又は染料印刷される、コーティングされる、吹付けされる、あるいはその他の方法で配置され得る。
【００６３】
第２のトップシート
特定の実施形態では、吸収性物品は、吸収性コアとトップシートとの間に介在し得る第２のトップシートを備え得、隣接する浸透性の（主）トップシートを通して、排出された体液、特に月経液を急速に吸い込む働きをする。これによって、吸収性物品のユーザーに隣接する第１のトップシートの表面が比較的清潔かつ乾燥した状態に維持される。
【００６４】
試験方法
試験前に、約２３℃±２℃及び約５０％±２％の相対湿度で、全ての試料を約２時間調整する。
【００６５】
第１の着色領域の平均占有面積の測定
吸収性物品の第１の領域の平均占有面積を以下の通り測定する。
【００６６】
物品のデジタル画像を取り込み、定量分析して、第１の着色領域の平均占有面積を測定する。撮像システムは、ＣＩＥ  Ｄ６５標準昼光をシミュレートする頂部搭載型拡散照明装備の光を通さない撮像ブース、及び１画素当たり４０マイクロメートル、又は１画素当たり４０マイクロメートルより少ない空間の分解能で物品の画像を提供することが可能な、レンズ系を備えた頂部搭載型デジタルＲＧＢカラーカメラを含む。カメラ本体及び発光源は、撮像される物品と平行である表面又は面の真上及びその上にあるように向けられ、陰影効果及び照明の強度のばらつきの両方は、取り込まれた画像で最小化される。好適な光ブースシステムの例としては、ＤｉｇｉＥｙｅ  Ｉｍａｇｉｎｇ  Ｓｙｓｔｅｍ（ＶｅｒｉＶｉｄｅ  Ｌｔｄ．（Ｌｅｉｃｅｓｔｅｒ、ＵＫ））で、Ｎｉｋｏｎ  Ｄ３カメラ及び１０５ｍｍ  Ｎｉｋｋｏｒレンズを使って、４２５６×２８３２画素、８ビット、ＲＧＢ画像が生成される。
【００６７】
撮像システムは、使用する前に、スペクトル基準のＧｒｅｙ  Ｃａｒｄ（２１．６ｃｍ×２７．９ｃｍ  Ｘ−Ｒｉｔｅ  Ｃｏｌｏｒ  Ｃｈｅｃｋｅｒ  Ｗｈｉｔｅ  Ｂａｌａｎｃｅ  Ｃａｒｄ）を使用して白バランスを取る。様々なグレーレベル及び色の標準基準チャート（Ｘ−Ｒｉｔｅ  Ｇｒｅｔａｇ  Ｍａｃｂｅｔｈ  Ｍｉｎｉ  Ｃｏｌｏｒ  Ｃｈｅｃｋｅｒ  Ｃｈａｒｔ、７．６ｃｍ×１２．７ｃｍ）が、システムのグレーレベルの強度及びコントラストを更に校正するために使用され、またカラーバランスの校正に使用されてもよい。照明強度、カメラ露光時間、コントラストガンマなどを含む、システムで使用する全ての画像取り込み設定は、組み合わせて併用するとき、Ｃｏｌｏｒ  Ｃｈｅｃｋｅｒ  Ｃｈａｒｔ  Ｓｔａｎｄａｒｄの３つの最も明るいグレーレベル領域が、チャートの取り込まれた画像で互いにはっきりと識別できるように設定される。画像取り込み設定は、肉眼で観察可能な物品の任意の色又は強度の詳細が、取り込まれた画像で同等に又はそれ以上に観察可能であるように設定される。取り込まれた画像中の１画素当たりのマイクロメートル数値を判定するシステムの空間校正は、認証された線形基準スケール又は定規（米国連邦標準・技術局（ＮＩＳＴ））を撮像することにより行われる。
【００６８】
測定対象となる無傷で未使用の物品を、その身体側側面／吸収性面をカメラに向かって上向きにし、撮像システム内に平らに広げる。物品の表面がカメラのレンズに対して水平を保つように、物品を所定の位置に固定する。
【００６９】
全ての較正が終了した後、撮像システムを使用して、試験物の主な中央流体吸収獲得ゾーン（main central fluid absorbent acquisition zone）の最大着色領域又は最大印刷領域で物品の画像を取り込む。典型的には、このゾーンは、物品の最長軸線の中心線に沿って物品の中心付近に位置する。この領域（単数又は複数）の６平方ｃｍがそれぞれの物品で撮像されるように、それぞれの物品の画像が取り込まれる。６平方ｃｍ未満の有色領域又は印刷領域が物品の装填ゾーンに存在するのであれば、これらの領域の少なくとも１平方ｃｍの領域を含む画像が取り込まれるべきである。
【００７０】
任意の特定のタイプの３〜５つの複製の物品を画像化し、分析する。
【００７１】
取り込まれたＲＧＢ画像は、更に処理及び分析される前にグレースケールに変換される。物品の有色ゾーン又は印刷ゾーン内ではない画像の領域を除外する一方で、できる限り多くの画像が関心領域（ＲＯＩ）（単数又は複数）内にあるように、かつそれぞれのＲＯＩができる限り大きいように、１つ又は複数のＲＯＩがそれぞれの画像内で選択される。
【００７２】
それぞれの関心領域（ＲＯＩ）（単数又は複数）は閾値処理及び２値化され、したがってそれぞれの画素が２つのクラス（背景及び前景と呼ばれる）のうちの１つに指定される。閾値処理は、グレースケール画像の２値化に広く用いられる自動閾値処理法である、Ｏｔｓｕ法のグレー閾値処理を用いて行われるべきである。Ｏｔｓｕ法は、それぞれの画像の閾値を独立して決定する反復計算であり、２つのクラスの重み付けしたクラス内分散を最小化する。Ｉｍａｇｅ  Ｊ、Ｍａｔｌａｂ、Ｉｍａｇｅ  Ｐｒｏ  Ｐｌｕｓ及びその他を含む多くの画像解析ソフトウェアパッケージを使用して、Ｏｔｓｕ法の閾値処理を行うことができる。数理的アルゴリズムは、ｈｔｔｐ：／／ｅｎ．ｗｉｋｉｐｅｄｉａ．ｏｒｇ／ｗｉｋｉ／Ｏｔｓｕ’ｓ＿ｍｅｔｈｏｄ、又はＮｏｂｕｙｕｋｉ  Ｏｔｓｕ著「Ａ  ｔｈｒｅｓｈｏｌｄ  ｓｅｌｅｃｔｉｏｎ  ｍｅｔｈｏｄ  ｆｒｏｍ  ｇｒａｙ−ｌｅｖｅｌ  ｈｉｓｔｏｇｒａｍｓ」（ＩＥＥＥ  Ｔｒａｎｓ．Ｓｙｓ．，Ｍａｎ．，Ｃｙｂｅｒ．９：６２〜６６）（１９７９）で見ることができる。
【００７３】
次に、２値画像を、連結成分ラベリング解析法を用いて解析して、第１の着色領域を特定する。連結成分ラベリングは、画素の連結性に基づいて画素を成分／第１の着色領域／ブロブに分類する。すなわち、連結成分の画素は全て、類似した画素強度値を共有し、何らかの方法で互いに連結される。
【００７４】
見つかった第１の着色領域のうちのいくつかは、画像ＲＯＩの縁部と接触して空間的に配置される場合があり、したがってＲＯＩの縁部で部分的にクロップされている可能性がある。こうした第１の着色領域は、続く第１の着色領域測定から除外する。
【００７５】
次に、各物品から、各ＲＯＩにおける第１の着色領域の数及び面積に関して測定を行う。これらの測定は下記を含む。
・ＲＯＩ内の領域当たり基準に表される、判明した第１の着色領域の総数（例えば１平方センチメートル当たり２０の第１の着色領域）。
・各ＲＯＩ中の第１の着色領域の平均面積。
・第１の着色領域であると分類された合計ＲＯＩ領域のパーセント値（例えば、２０％）。
【００７６】
デルタＥの測定
第１の着色領域と第２の着色領域との間の色差の測定は、ＣＩＥ  Ｌ＊ａ＊ｂ＊表色系（ＣＩＥＬＡＢ）に基づく。１２００ｄｐｉで２４ビットカラーの最小値を走査することが可能で、カラーマネジメントの手動制御機能を有する、フラットベッドスキャナ（好適なスキャナは、Ｅｐｓｏｎ  Ａｍｅｒｉｃａ  Ｉｎｃ．（Ｌｏｎｇ  Ｂｅａｃｈ  ＣＡ）製のＥｐｓｏｎ  Ｐｅｒｆｅｃｔｉｏｎ  Ｖ７５０  Ｐｒｏである）を使用して画像を取得する。スキャナを、カラーマネジメントソフトウェア（好適なパッケージは、Ｘ−Ｒｉｔｅ（Ｇｒａｎｄ  Ｒａｐｉｄｓ，ＭＩ）から入手可能なＭｏｎａｃｏＥＺＣｏｌｏｒである）を使用してＡＮＳＩ方式ＩＴ８．７／２−１９９３に準拠したカラー反射ターゲットに対して校正し、スキャナプロファイルを構築する。得られる校正したスキャナプロファイルを、ＣＩＥ  Ｌ＊ａ＊ｂ＊におけるサンプリングをサポートするイメージングプログラム（好適なプログラムは、Ａｄｏｂｅ  Ｓｙｓｔｅｍｓ  Ｉｎｃ．（Ｓａｎ  Ｊｏｓｅ，ＣＡ）から入手可能なＰｈｏｔｏｓｈｏｐ  Ｓ４である）内で開き、結合及び非結合領域を測定する。
【００７７】
校正前に３０分間、スキャナの電源をオンにする。スキャナガラス上に、ＩＴ８ターゲットを、表を下にして置き、スキャナの蓋を閉じる。ＭｏｎａｃｏＥＺＣｏｌｏｒソフトウェアを開き、スキャナに付属するＴｗａｉｎソフトウェアを使用して取得画像を選択する。Ｔｗａｉｎソフトウェア内で、アンシャープマスク設定、及びそのソフトウェアに含まれ得る全ての自動色補正又はカラーマネジメントオプションの選択を解除する。自動カラーマネジメントを無効にすることができない場合、そのスキャナは、この用途には不適である。２００ｄｐｉ、２４ビットカラーで、プレビュースキャンを取得する。スキャンした画像が真っ直ぐであり、第１の外側表面が上向きであることを確認する。ターゲットの縁部に画像をトリミングし、ターゲットの周りの全ての余白を除いて、最終的な画像を取得する。ＭｏｎａｃｏＥＺＣｏｌｏｒソフトウェアは、この画像を使用し、含まれる基準ファイルと比較して、Ｐｈｏｔｏｓｈｏｐと互換性のある校正したカラープロファイルを生成及びエクスポートする。プロファイルが作成された後、スキャン解像度（ｄｐｉ）は変更することができるが、他の全ての設定は、サンプルの撮像中、一定に保たれる必要がある。
【００７８】
対象の結合領域を含む多層不織布ウェブの第１の外側表面を特定する。多層不織布ウェブの一片を取り除く。取り扱いの便宜上、試料の寸法は７５ｍｍ×７５ｍｍ片であってもよいが、当業者には理解されるように、より小さな試料寸法を使用してもよい。多層不織布ウェブが、吸収性物品などの製品から取り除かれる必要がある場合、極低温凍結スプレー（例えば、Ｃｏｎｔｒｏｌ  Ｃｏｍｐａｎｙ（ＴＸ）製のＣｙｔｏＦｒｅｅｚｅ）を使用して製品から試料を取り除く必要がある場合がある。試料を試験前に２時間、約２３℃±２℃、及び約５０％±２％の相対湿度で予調整する。
【００７９】
スキャナの蓋を開け、第１の外側表面をガラスに向けて、スキャナガラス上に試料を配置する。白色の背景で（この試験方法では、白は、Ｌ＊＞９４、−２＜ａ＊＜２、及び−２＜ｂ＊＜２を有すると定義される）試料を覆い、蓋を閉じる。試料のスキャンを取得し、６００ｄｐｉ、及び２４ビットカラーでＰｈｏｔｏｓｈｏｐにインポートする。画像に、校正したスキャナプロファイルを割り当て、モードをＬａｂ  Ｃｏｌｏｒに変更する（Ｐｈｏｔｏｓｈｏｐの「Ｌａｂ  Ｃｏｌｏｒ」は、ＣＩＥ  Ｌ＊ａ＊ｂ＊規格に対応する）。「スポイト」色選択ツールを選択する。隣接する非結合領域のピクセルを含むことなく、結合領域内にできるだけ多くの画素を含むように、ツールのサンプリングサイズを設定する。スポイトツールを使用して、不織布画像内の１０の異なる結合領域でＬ＊ａ＊ｂ＊値を測定し、記録する。１０の個々のＬ＊ａ＊ｂ＊値を平均し、それぞれＬ１、ａ１、及びｂ１として記録する。不織布画像内の１０の異なる非結合領域に対して同様に測定を繰り返し、平均した値を、Ｌ２、ａ２、ｂ２として記録する。以下の式を使用して、結合領域と非結合領域との間の色差（デルタＥ＊）を計算し記録する。
【００８０】
【数１】
2017534381.tif 000003
そして、０．０１の単位まで記録する。サンプルセット毎に、合計３つの実質的に同一の不織布ウェブを測定する。３つのデルタＥ＊＊値を平均し、０．１の単位まで記録する。
【実施例】
【００８１】
実施例１：試料の調製
試料１〜３
４０ｇ／ｍ３の単位重量を有する複合繊維を含む不織布ウェブを、試料１〜３の生理用ナプキンのトップシートに用いた。図２Ａ及び２Ｂに示す試料１を調製するために、不織布ウェブを機械的開口プロセスに投入して、不織布ウェブ中に開口部密度が１３開口部／ｃｍ２のジグザグ状パターンの開口部を形成した。不織布ウェブの第２のトップシートの中央の、２０ｃｍ２の面積に、青色インクで、不織布ウェブの第２のトップシートを印刷した。続いて、トップシート、第２のトップシート、吸収性コア、及びバックシートを結合して、試料１を作製した。図３Ａ及び３Ｂに示す試料２を、波状パターンの開口部を形成して、開口部密度を８開口部／ｃｍ２にしたことを除いては試料１と同じプロセスに従って調製した。図４に示す試料３を、不織布の第２のトップシートの身体側表面全体に４つの印刷された領域／ｃｍ２の密度で、第１の印刷された領域を青色インクで印刷することにより、調製した。
【００８２】
比較試料１
図５Ａ及び５Ｂに示す比較試料１を、第２のトップシートを印刷しないことを除いては試料１のプロセスに従って、試料１と同じ材料を用いて調製した。開口部５０６は第１の着色領域５０２を画定し、トップシート中で第１の着色領域５０２を包囲する領域は第２の着色領域５０４である。
【００８３】
実施例２：第１の着色領域及び第２の着色領域のパラメータの測定
第１の着色領域と第２の着色領域との間のデルタＥ、第１の着色領域の密度、並びに試料１〜３及び比較試料１の第１の着色領域の平均占有面積を、試験方法に従って測定した。結果を表１に要約する。２つの市販される生理用ナプキンにおける、２つの領域のデルタＥ、開口（apetured）領域又はエンボス加工領域、及び開口（apetured）領域又はエンボス加工領域を包囲する領域を更に測定した。図６Ａ及び６Ｂに示すＷｈｉｓｐｅｒ社製品では、着色区域６４０と重なり合う開口部６０６は第１の着色領域６０２を画定し、着色区域６４０の色は、トップシートの身体側表面の側から開口部を通して見ることができるが、これは第１の着色領域６０２の色であると考えられる。第１の着色領域６０２を包囲し、着色区域６４０と重なり合うトップシートの領域は、第２の着色領域６０４であると考えられる。図７Ａ及び７Ｂに示すＬａｕｒｉｅ  Ｆでは、エンボス加工領域７０６は第１の着色領域７０２を画定するものと考えられ、トップシートの身体側表面の側から開口部を通して見ることができる色は、第１の着色領域７０２の色であると考えられる。トップシート中で第１の着色領域７０２を包囲する領域は、第２の着色領域７０４であると考えられる。
【００８４】
【表１】
2017534381.tif 000004
＊１：Ｗｈｉｓｐｅｒ  Ｐｉｎｃｋｃｅｓｓ、Ｐｒｏｃｔｏｒ  ＆  Ｇａｍｂｌｅ（Ｃｈｉｎａ）
＊２：Ｌａｕｒｉｅｒ  Ｆ、Ｋａｏ（Ｊａｐａｎ）
【００８５】
実施例３：通気性及び吸収性の測定
年齢１８歳〜４０歳の３０人の中国人消費者に、製品の通気性及び吸収性の認知に関して製品を採点させた。１〜１０段階で分類を実施した。１０は理想的な性能を意味し、１は最も劣る性能を意味する。結果を以下の表２に示す。
【００８６】
【表２】
2017534381.tif 000005
＊１：Ｗｈｉｓｐｅｒ  Ｐｉｎｃｋｃｅｓｓ、Ｐｒｏｃｔｏｒ  ＆  Ｇａｍｂｌｅ（Ｃｈｉｎａ）
＊２：Ｌａｕｒｉｅｒ  Ｆ、Ｋａｏ（Ｊａｐａｎ）
【００８７】
本明細書に開示される寸法及び値は、列挙された正確な数値に厳密に制限されると理解されるべきでない。それよりむしろ、特に指定されない限り、こうした寸法はそれぞれ、列挙された値とその値周辺の機能的に同等の範囲との両方を意味するものとする。例えば、「４０ｍｍ」と開示される寸法は、「約４０ｍｍ」を意味することが意図される。
【００８８】
あらゆる相互参照又は関連特許若しくは関連出願を含む、本明細書に引用される全ての文献は、明確に除外ないしは別の方法で限定されない限り、参照によりその全体が本明細書に組み込まれる。いかなる文献の引用も、それが本明細書で開示若しくは請求される任意の実施形態に関する先行技術であること、又はそれが単独で若しくは任意の他の参照（単数又は複数）との任意の組み合わせで任意のこのような実施形態を教示、提案、若しくは開示することを認めるものではない。更に、本文書での用語の任意の意味又は定義の範囲が、参照により組み込まれた文書中の同様の用語の任意の意味又は定義と矛盾する場合には、本文書中で用語に割り当てられる意味又は定義に準拠するものとする。
【００８９】
本出願の特定の実施形態が図示及び説明されたが、本出願の趣旨及び範囲から逸脱することなく様々な他の変更及び修正を行い得ることは、当業者には明白であろう。したがって、本開示の範囲に含まれるあらゆるこうした変更及び改変を、付属の特許請求の範囲で網羅するものとする。
【図１】
2017534381.tif 000006
【図２Ａ】
2017534381.tif 000007
【図２Ｂ】
2017534381.tif 000008
【図３Ａ】
2017534381.tif 000009
【図３Ｂ】
2017534381.tif 000010
【図４】
2017534381.tif 000011
【図５Ａ】
2017534381.tif 000012
【図５Ｂ】
2017534381.tif 000013
【図６Ａ】
2017534381.tif 000014
【図６Ｂ】
2017534381.tif 000015
【図７Ａ】
2017534381.tif 000016
【図７Ｂ】
2017534381.tif 000017
【国際調査報告】
2017534381.tif 000018
2017534381.tif 000019
2017534381.tif 000020